(57)【要約】  シェービング用かみそり及びカートリッジは、シェービングの間、利用者の肌に温感を与える。このかみそり及びカートリッジは相変換物質を含む。
2005509502.tif 000002
【特許請求の範囲】
【請求項１】
ハンドルと、
前記ハンドルに取り付けられたヘッドと、
前記ヘッド内の相変換物質とを含む、かみそり。
【請求項２】
前記相変換物質は、約３０℃から５０℃の間の溶解点を持つことを特徴とする、請求項１に記載のかみそり。
【請求項３】
前記相変換物質は、約３２℃から４５℃の間の溶解点を持つことを特徴とする、請求項１に記載のかみそり。
【請求項４】
前記かみそりは１５秒よりも大きい放熱間隔を持つことを特徴とする、請求項１に記載のかみそり。
【請求項５】
前記かみそりは１０秒よりも小さい充熱時間を持つことを特徴とする、請求項１に記載のかみそり。
【請求項６】
前記かみそりは５秒よりも小さい充熱時間を持つことを特徴とする、請求項５に記載のかみそり。
【請求項７】
前記ヘッドは約０．１ｃｍ３から０．５ｃｍ３の相変換物質を包含することを特徴とする、請求項１に記載のかみそり。
【請求項８】
前記ヘッドは十分な量の相変換物質を包含し、これによって前記ヘッドの温度は正常な使用条件の下で相変換物質の溶解温度を越えることはないことを特徴とする、請求項１に記載のかみそり。
【請求項９】
前記相変換物質はマイクロカプセル化され、このマイクロカプセルは前記ヘッドの前記物質にわたって分配されていること特徴とする、請求項１に記載のかみそり。
【請求項１０】
前記相変換物質は前記ヘッド内のチャンバに配置されていることを特徴とする、請求項１に記載のかみそり。
【請求項１１】
前記相変換物質は、パラフィン、低溶解度塩類、結晶化水を含有する低溶解度塩類、有機又は無機化合物の低溶解度共晶混合物、低溶解度金属又は合金を含むことを特徴とする、請求項１に記載のかみそり。
【請求項１２】
前記相変換物質はアルキルカルボン酸を含むことを特徴とする、請求項１に記載のかみそり。
【請求項１３】
前記相変換物質は、ウンデカン酸、デカン酸、ノナデカン、イコサン及びトリデカン酸から成る基から選択されることを特徴とする、請求項１に記載のかみそり。
【請求項１４】
前記相変換物質はイコサンであることを特徴とする、請求項１３に記載のかみそり。
【請求項１５】
前記相変換物質はノナデカンであることを特徴とする、請求項１３に記載のかみそり。
【請求項１６】
前記かみそりは複数の相変換物質を含むことを特徴とする、請求項１に記載のかみそり。
【請求項１７】
前記相変換物質は、異なる再結晶化又は核形成の速度を持つことを特徴とする、請求項１６に記載のかみそり。
【請求項１８】
前記かみそりは更に、前記かみそりが充熱されたかどうかの視覚表示を提供するように構成された、前記かみそりの利用者の目に見える表示器を含むことを特徴とする、請求項１に記載のかみそり。
【請求項１９】
前記視覚表示は色変化を含むことを特徴とする、請求項１８に記載のかみそり。
【請求項２０】
前記表示器はサーモクロミック物質を含むことを特徴とする、請求項１９に記載のかみそり。
【請求項２１】
前記表示器は前記かみそりヘッド上に位置付けられたストリップを含むことを特徴とする、請求項１８に記載のかみそり。
【請求項２２】
前記表示器は、前記ヘッドの物質にわたって分配されたサーモクロミック物質を含むことを特徴とする、請求項１８に記載のかみそり。
【請求項２３】
前記表示器は、前記ヘッドの表面に覆われるサーモクロミック物質を含むことを特徴とする、請求項１８に記載のかみそり。
【請求項２４】
前記表示器は、前記かみそりが充熱される度数を表示するように構成されていることを特徴とする、請求項１８に記載のかみそり。
【請求項２５】
前記表示器は、異なる色変化温度を持つ複数のサーモクロミック物質を含むことを特徴とする、請求項１８に記載のかみそり。
【請求項２６】
前記表示器は、前記かみそりがいつ充熱されるのかを示すための文字数字インディシア又はロゴを表示することを特徴とする、請求項１８に記載のかみそり。
【請求項２７】
前記インディシア又は前記ロゴは、前記かみそりが充熱された時点で現れることを特徴とする、請求項２６に記載のかみそり。
【請求項２８】
前記マイクロカプセルは、潤滑剤を包含する前記ヘッドの部分の物質にわたって分配されていることを特徴とする、請求項９に記載のかみそり。
【請求項２９】
前記相変換物質は、前記潤滑剤を包含する前記ヘッドの部分に配置されていることを特徴とする、請求項１に記載のかみそり。
【請求項３０】
前記かみそりは更に、温水からカートリッジへの熱伝達を増大させるよう構成された、前記カートリッジ上の熱伝達フィンを含むことを特徴とする、請求項１に記載のかみそり。
【請求項３１】
前記かみそりは前記相変換物質の隣に位置する熱伝導性物質を含み、前記相変換物質への熱エネルギーの伝達、及び前記相変換物質からの熱エネルギーの伝達を増大させることを特徴とする、請求項１に記載のかみそり。
【請求項３２】
前記熱伝導性物質はメタルウール又はメタルフォームを含むことを特徴とする、請求項３１に記載のかみそり。
【請求項３３】
前記かみそりは更に、潤滑物質を利用者の肌に伝えるよう構成されたストリップを前記ヘッド上に含むことを特徴とする、請求項１に記載のかみそり。
【請求項３４】
前記相変換物質は前記ストリップに関して位置付けられ、よって前記潤滑物質の伝達速度は前記相変換物質が存在しない場合の伝達速度に比べて増大することを特徴とする、請求項３３に記載のかみそり。
【請求項３５】
前記相変換物質が前記ストリップに組み入れられていることを特徴とする、請求項３４に記載のかみそり。
【請求項３６】
ハンドルと、
前記ハンドルに取り付けられたヘッドと、
前記ヘッド内の複数の相変換物質とを含み、前記相変換物質は異なる再結晶化又は核形成の速度を持つことを特徴とする、かみそり。
【請求項３７】
ハウジングと、
前記ハウジング内に取り付けられたかみそりブレードと、
前記ハウジング内の相変換物質とを含む、かみそりカートリッジ。
【請求項３８】
ハンドルと、
前記ハンドルに取り付けられたヘッドと、
相変換物質の溶解により前記かみそりを充熱する前記ヘッド内の相変換物質と、
前記かみそりが充熱されたかどうかを利用者に示す視覚表示を提供するように構成された、前記かみそりの利用者の目に見える表示器とを含む、かみそり。
【請求項３９】
前記視覚表示は色変化を含むことを特徴とする、請求項３８に記載のかみそり。
【請求項４０】
前記表示器はサーモクロミック物質を含むことを特徴とする、請求項３９に記載のかみそり。
【請求項４１】
前記表示器は前記かみそりヘッド上に位置付けられたストリップを含むことを特徴とする、請求項３８に記載のかみそり。
【請求項４２】
前記表示器は、前記ヘッドの物質にわたって分配されるサーモクロミック物質を含むことを特徴とする、請求項３８に記載のかみそり。
【請求項４３】
前記表示器は、前記かみそりが充熱される度数を表示するように構成されていることを特徴とする、請求項３８に記載のかみそり。
【請求項４４】
前記表示器は、前記かみそりがいつ充熱されるのかを示すための文字数字インディシア又はロゴを表示することを特徴とする、請求項３８に記載のかみそり。
【請求項４５】
前記インディシア又は前記ロゴは、前記かみそりが充熱された時点で現れることを特徴とする、請求項４４に記載のかみそり。
【請求項４６】
ハンドルと、
前記ハンドルに取り付けられたヘッドと、
前記ハンドル内の相変換物質とを含む、かみそり。
【請求項４７】
ハンドルと、
前記ハンドルに取り付けられたヘッドと、
相変換物質の溶解により前記かみそりを充熱する前記ヘッド内の相変換物質と、
潤滑物質を利用者の肌に伝えるように構成された前記ヘッド上のストリップとを含むかみそりにおいて、
前記相変換物質は前記ストリップに関して位置付けられ、これによって前記潤滑物質の伝達速度は前記相変換物質が存在しない場合の伝達速度に比べて増大することを特徴とする、かみそり。
【請求項４８】
シェービング方法において、
（ａ）相変換物質を包含するかみそりヘッドを、前記相変換物質を溶解するのに十分に暖かい水に接触させることと、
（ｂ）肌を前記かみそりヘッドに接触させることとを含むことを特徴とする、シェービング方法。
【請求項４９】
シェービングの間、ステップ（ａ）及び（ｂ）を繰り返すことを更に含むことを特徴とする、請求項４８に記載の方法。
【請求項５０】
前記かみそりヘッドは、相変換物質が溶解されたかどうかを利用者に示すように構成される表示器を含み、前記方法は更に前記表示器を観測することを含むことを特徴とする、請求項４８に記載の方法。
【発明の詳細な説明】
【技術分野】
【０００１】
本発明はシェービング用かみそり及びかみそりカートリッジに関する。
【背景技術】
【０００２】
ウェットシェーブかみそりの利用者は一般的に、シェービングの間、肌に対して与えられる温感（a feeling of warmth）を味わう。このような温感は気持ちの良いものであり、また、利用者の肌に潤いを与え、髭を柔らかくし、シェービングをより快適なものとする。
【発明の開示】
【発明が解決しようとする課題】
【０００３】
シェービングの間に温感が与えられるようにするため、様々な試みがなされている。例えば、シェービング容器から離されると発熱反応をするようにシェービングクリームを形成し、このようなシェービングクリームによって肌に温感を与える。また、バッテリーのような電源により供給される電力の下で、温風、発熱体及び直線走査されたレーザー光線を用いてかみそりのヘッドを加熱する。
【課題を解決するための手段】
【０００４】
本発明は、利用者の肌に対して熱を伝えることが可能な相変換物質を含むかみそりを特徴とする。相変換物質は溶解する時に潜熱を蓄熱し、再結晶化の間に放熱する。このかみそりの相変換物質は室温において固体であり、かみそりを流温水の下で保つか、又は、かみそりを温水に浸すことにより、かみそりを充熱して容易に溶解することができる。（相変換物質は溶解した時に流出しないように、かみそりの中に密閉される。）充熱されたかみそりが用いられる場合、溶解された相変換物質が再結晶化するので、かみそりは特定の温度（相変換物質の溶解点）において制御された方法で放熱し、利用者の肌に温感を与える。
【０００５】
かみそりが溶解相の間であれば、たとえ高温（例えば熱湯）にさらされたとしても、相変換物質の温度は一般的に任意のかなりの期間（すなわち１、２秒以上）、その物質の溶解温度を越えることはない。相変換物質の全てが溶解するまで、かみそりの温度は相変換物質の溶解点を越えることはない。従って、相変換物質を有するかみそりは、たとえ高温にさらされたとしても、まず不快に熱くなることはない。
【０００６】
本発明のかみそりは温水以外に電源を必要とせず、一般的にシェービングの際に容易に得られるものである。本発明のかみそりは、比較的安価に製造することができ、利用するのに安全で信頼できる。相変換物質の潜熱容量が大きいので、熱量の多い器具を手で持つ感覚をシェービングする人に与え、通常このことは品質と組み合わせられる特性であり、一方、シェービングの容易さのための低力学的質量を維持する。
【０００７】
一つの態様において本発明は、ハンドルと、ハンドルに取り付けられたヘッドと、ヘッド内の相変換物質とを含むかみそりを特徴とする。「ヘッド内」という用語はヘッドの任意の部分を含み、この部分は例えばブレードが取り付けられるハウジング内に相変換物質を提供するか、又は、カプセル又は他の部材に相変換物質を提供し、この他の部材をハウジング上に取り付け、でなければハウジングと組み合わせる。
【０００８】
いくつかの実施の形態において次の特徴を一つ以上含んでいてもよい。相変換物質は約３０℃から５０℃の間、例えば約３２℃から４５℃の間の溶解点を持つ。かみそりは１５秒よりも大きい放熱間隔を持つ。かみそりは１０秒よりも小さい、好ましくは５秒よりも小さい充熱時間を持つ。ヘッドは約０．１ｃｍ３から０．５ｃｍ３の相変換物質を包含する。ヘッドは十分な量の相変換物質を包含し、これによってヘッドの温度は正常な使用条件の下で相変換物質の溶解温度を越えることはない。相変換物質はマイクロカプセル化され、このマイクロカプセルはヘッドの物質にわたって分配されている。相変換物質はヘッド内のチャンバに配置されている。
【０００９】
相変換物質は、パラフィン、低溶解度塩類、結晶化水を含有する低溶解度塩類、有機又は無機化合物の低溶解度共晶混合物、低溶解度金属又は合金を含んでよい。相変換物質はアルキルカルボン酸を含んでよい。相変換物質は、ウンデカン酸、デカン酸、ノナデカン、イコサン及びトリデカン酸から成る基から選択してよい。いくつかの実施の形態においてかみそりは、複数の相変換物質、例えば異なる再結晶化又は核形成の速度を持つ相変換物質を含む。
【００１０】
いくつかの実施の形態において、かみそりは更に、かみそりが充熱されたかどうかを示す、例えば色変化などの視覚表示を提供するように構成された、かみそりの利用者の目に見える表示器を含む。表示器は次の特徴の一つ以上を含んでよい。表示器はサーモクロミック物質を含む。表示器はかみそりヘッドに位置付けられたストリップを含む。表示器は、ヘッドの物質にわたって分配されるか、又はヘッドの表面に覆われるサーモクロミック物質を含む。表示器は、かみそりが充熱される度数を表示するように構成される。表示器は、異なる色変化温度を持つ複数のサーモクロミック物質を含む。表示器は、かみそりがいつ充熱されるのかを示すための文字数字インディシア又はロゴを表示する。インディシア又はロゴは、かみそりが充熱された時点で現れる。
【００１１】
いくつかの実施の形態において、かみそりの部分は更に潤滑剤を含む。相変換物質は、潤滑剤を包含するかみそりの部分に配置してもよい。例えば、相変換物質がマイクロカプセル化されると、このマイクロカプセルは潤滑剤を包含するヘッドの部分の物質にわたって分配される。ヘッドは潤滑物質を利用者の肌に伝えるように構成されたストリップを含んでよく、また、相変換物質はストリップに関して位置付けられていてよく、よって潤滑物質の伝達速度は相変換物質が存在しない場合の伝達速度に比べて増大する。例えば相変換物質がストリップに組み入れられていてもよい。
【００１２】
いくつかの実施の形態において、かみそりは、温水からカートリッジへの熱伝達を増大させるように構成された、カートリッジ上の熱伝達フィンを含む。他の変形例としては、または更に、かみそりは相変換物質の隣に位置する熱伝導性物質、例えばメタルウール又はメタルフォームを含んでいてよく、相変換物質への熱エネルギーの伝達、及び相変換物質からの熱エネルギーの伝達を増大させる。
【００１３】
本発明はまた、カートリッジハウジング内に相変換物質を含むかみそりカートリッジを特徴とする。
【００１４】
別の態様において本発明は、ハンドルと、ハンドルに取り付けられたヘッドと、ハンドル内の相変換物質とを含むかみそりを特徴とする。
【００１５】
本発明はまた、シェービング方法を特徴とし、この方法は（ａ）相変換物質を包含するかみそりヘッドを、相変換物質を溶解するのに十分に暖かい水に接触させることと、（ｂ）肌をかみそりヘッドに接触させることとを含む。
【００１６】
シェービングの間、ステップ（ａ）及び（ｂ）を複数回繰り返してよい。
【００１７】
ここに使用される「かみそり」の用語は、特に示さない限り、ハンドル及び交換できるカートリッジを含むかみそり、及び、かみそりヘッドがハンドルに固定的に取り付けられた使い捨てかみそり、の両方を指す。
【００１８】
本発明の他の特徴及び利点は、発明の詳細な説明及び図面並びに特許請求の範囲の記載から明らかになるであろう。
【発明を実施するための形態】
【００１９】
図１を参照すると、かみそり１０は、ハンドル１４と、ハンドル１４に取り付けられたかみそりカートリッジ１６とを含む。図２及び図２Ａを参照すると、かみそりカートリッジ１６は、成形プラスチックハウジング１８を含み、このハウジング１８は、複数のブレード１９を支持するとともに、ガード２０を含む。カートリッジ１６はまた、ハウジング１８が回動可能に取り付けられることとなるハンドル１４上の相互連絡部材２５を収容するように構成された凹部２４を含む。相互連絡部材２５は、ハウジング１８を取り外し可能に、またしっかりとハンドル１４に取り付ける。
【００２０】
ガード２０は、ハウジング１６の表面に形成されるものであり、利用者の肌に接触して肌を伸ばすフィン付きユニットを含む。例えば米国特許第５，１９１，７１２号明細書に記載されているような肌に接触する別の突出部を用いることもできる。なお、この米国特許の開示は本明細書中に引用されて組み込まれる。ガード２０は、エラストマー材料から形成してよく、又は、ハウジング１６の残りの部分と同じ材料から形成してよい。好ましくは、フィンはブレード１９に向かって次第に高くなっており、徐々に毛を持ち上げることにより、より短くより快適なシェービングを可能にする。
【００２１】
かみそりカートリッジ１６はまた、性能を改善するか、又はカートリッジの寿命を延ばすための、別の構成要素を含んでいてもよい。例えば、アルミニウム断片（図示せず）を一端に含めて犠牲陽極として働くようにしてもよい。更に、米国特許第５，１１３，５８５号明細書及び第５，４５４，１６４号明細書に記載されているように、潤滑物質を利用者の肌に伝えるためにシェービング補助複合物２６をハウジング１６の上部縁部に設けてもよい。これらの米国特許の開示は本明細書中に引用されて組み込まれる。
【００２２】
相変換物質３０を包含するカプセル２８が、ハウジング１８に取り付けられている（図２Ａ）。カプセルを流温水下に置くか、又は温水中に浸すと、相変換物質３０が溶解し、以上に論じたようにして、かみそりが充熱される。
【００２３】
好ましくは、カプセル２８は例えば金属などの比較的高い熱伝導性を持つ物質から形成される。変形例としては、カプセル２８の壁の厚さが適切な熱伝達を許すほど十分に薄いという条件の下で、カプセル２８は例えばプラスチックなどの比較的低い熱伝導性を持つ物質から形成されてもよい。
【００２４】
図３に示す変形例において、かみそり１６'のハウジング１８'は複数のチャンバ３２を含む。明確化のためにチャンバ３２は空所として示されているが、完成品においては相変換物質で充填され、カバー（図示せず）で密封される。このカバーは不透明でも透明でもよい。カプセル２８に関して以上に論じたように、好ましくは、カバーは、高い熱伝導性を持つ物質から形成されるか、又は、相変換物質から又は相変換物質への望ましい熱伝達を許すほど十分に薄いかの、いずれかである。
【００２５】
適切な相変換物質は、肌の温度と水道温水の標準的な温度との間に溶解温度を持つ。従って、好ましい溶解温度範囲は一般的には約３０℃から５０℃の間である。約３２℃から４５℃の間の溶解温度は一般的に好ましく、約３５℃から４２℃の間の温度は、多くの応用において最適であるとみなされる。比較的高い溶解温度（例えば４０〜５０℃）を持つ相変換物質は一般的に、所望の高いレベルの温感を利用者に与えるが、（利用者の肌に対する熱勾配が大きいために）溶解するのにより長く時間がかかり、その潜熱をより速く放熱する傾向がある。
【００２６】
適切な相変換物質は、パラフィン、アルキルカルボン酸及び様々な無機水和物を含む。好ましい相変換物質は、ウンデカン酸、デカン酸、ノナデカン、イコサン及びトリデカン酸を含む。別の適切な相変換物質は、低溶解度塩類、結晶化水を含有する低溶解度塩類、有機又は無機化合物の低溶解度共晶混合物、低溶解度金属又は合金を含む。
【００２７】
一般的にかみそりは、短い「再充熱時間」を持つのが好ましく、すなわち、比較的短時間だけ水道温水（約４０〜５０℃）下にかみそりヘッドを保つことにより、かみそりを充熱することもできることが好ましい。この目的のため、温水流からかみそりへの熱伝達を増大させるための手段（例えばかみそり上の熱伝達フィン）、及び相変換物質カプセル内での熱伝達を増大させるための手段（例えば相変換物質カプセル内の高い熱伝導性を持つ物質の少容積断片）を、かみそりが含むことが好ましい。かみそり中の実質的に全ての相変換物質が溶解すると、かみそりは十分に充熱されたとみなされる。好ましくは、再充熱時間は約１０秒よりも短く、かみそりが４５℃で流れる水道水下に保たれる場合、好ましくは約５秒よりも短い。
【００２８】
相変換物質の溶解温度が低いほど、再充熱時間は短縮される。かみそり中に包含される相変換物質の容積もまた、再充熱時間に影響を与える。一般的に、相変換物質をより多く用いるほど、再充熱時間は長くなる。
【００２９】
使用する前にかみそりを完全に充熱する必要はなく、相変換物質の全てがたとえ溶解していなくても、かみそりは温感を与える。一般的に、少なくとも０．２ｃｍ３の物質が溶解すれば、利用者は熱を知覚することができよう。事実、いくらかの相変換物質が溶解されずに残ることは利点である。相変換物質の全てが溶解する場合、（例えば水道水の温度が物質の溶解温度よりも著しく高温な場合）相変換物質の温度がその溶解温度を越えることが有り得る。水道水が極めて高温な場合、相変換物質の短時間の過熱を引き起こし、結果としてかみそりの温度が利用者にとって不快となり得る。正常な再充熱間隔の間に物質の全てが溶解しそうもない程に十分な相変換物質が用いられる場合、相変換物質は「サーモスタット」機能を提供し、かみそりヘッドの過熱を防ぐ。
【００３０】
しかしながら、一般的にたとえ相変換物質の温度がその溶解温度を越えたとしても、相変換物質は水から除かれた後にその潜熱を放熱するよりもはるかに速くその溶解温度に戻る。物質の特定の熱容量と、相変換物質の溶解温度を越える任意の適当に遭遇する温度の変化分とを掛けたものよりも、相変換物質の潜熱は一般的にはるかに大きいので、この溶解温度までの速い戻りが起こる。
【００３１】
かみそりの設計についての別の基準は放熱間隔、すなわち、かみそりが放熱する期間である。第一に、例えば相変換物質の全てを溶解するのに十分な時間用いられる、相変換物質の溶解温度をわずかに越える温度の水にヘッドを浸すことにより、かみそりを完全に充熱し、次に、かみそりが潜熱を放熱するのにかかる時間の長さを決定することにより、放熱間隔を測定することができる。相変換物質の温度がその溶解点を下回る場合、潜熱はそれ以上放熱されない。放熱間隔は好ましくは、１５秒よりも長く、例えば１５秒から３分の間である。ほとんどの利用者はかみそりを頻繁にすすぐので、一般的に長い放熱間隔は必要ではない。利用者が温水ですすぐ場合、かみそりはそれぞれすすぎの間再充熱されよう。利用者がすすぎを頻繁に行う、又は冷水ですすぐであろうと思われる応用においては、比較的長い放熱間隔、例えば２〜３分の間隔が好ましい。
【００３２】
以上で論じたように、放熱間隔は溶解点により決定され、溶解点が高いほど、利用者の顔とかみそりとの間の熱勾配はより高くなる。放熱間隔はまた、使用される相変換物質の容積により決定され、相変換物質が多いほど、放熱間隔はより長くなる。シェービングする人への温感を保つのにまさに十分な速度で、顔の方へ優先的に放熱するようにカートリッジを設計することも望ましいものである。
【００３３】
かみそり中の相変換物質の好ましい容積が、以上で論じた要因によって決定されよう。一般的に、０．１ｃｍ３から０．５ｃｍ３の容積は適切に均衡の保たれた特性を提供するであろう。好ましくは、１０〜６０秒の間に約１．０Ｗから３．０Ｗの動力出力を提供するように、十分な量の相変換物質が含まれる。含まれることが可能な相変換物質の量は一般的に、設計における制約、例えばかみそり又はカートリッジハウジングにおける利用可能な容積量により限定される。従って、比較的小さい容積の相変換物質が比較的大きいエネルギー量を貯蔵するように、相変換物質が単位容積につき高い溶解潜熱を持つことが好ましい。適切な相変換物質は一般的に、約１００から５００キロジュール／立方デシメートル（ｋｊ／ｄｍ３）の単位容積あたりの溶解潜熱を持つ。
【００３４】
代替の実施の形態において、相変換物質はマイクロカプセル化され、このマイクロカプセルはヘッド又はヘッドの一部にわたって分配され、例えば図５に示すように、かみそりカートリッジ４２のハウジング３８（明確化のためにかなり拡大して示されている）はマイクロカプセル４０を含む。マイクロカプセル化された相変換物質は商業上入手可能である。このような物質は例えばゲートウェイ・テクノロジー（Gateway Technologies）社やアウトラスト・テクノロジー（Outlast Technologies）社による保温性衣類に使用されている。
【００３５】
他の代替の実施の形態において、相変換物質は、珪藻土（例えばルビセルム（Rubitherm GmbH）社からの「Ｒｕｂｉｔｈｅｒｍ  ＧＲ相変換物質」）、シリカ（例えばルビセルム社からの「Ｒｕｂｉｔｈｅｒｍ  ＰＩ／ＰＯ相変換物質」）、または架橋ポリマー（例えばルビセルム社からの「Ｒｕｂｉｔｈｅｒｍ  ＰＫ相変換物質」）のような二次的支持構造に吸収されるワックスでもよい。これらの物質をヘッド又はヘッドの一部にわたり分配してもよい。
【００３６】
かみそりが充熱されたかどうかの視覚表示を利用者に提供する表示器を含むことが望ましい。このような表示器を含むことにより、必要以上に長く水の下でかみそりヘッドを保つことで、利用者が時間とエネルギーとを不必要に無駄にすることを防げることができよう。かみそりヘッドを、かみそりを充熱するのに必要な時間以上に長く極端に熱い温水（相変換物質の溶解点よりも著しく熱い温水）に保つことにより利用者がかみそりを熱し過ぎてしまうこととなるが、このような事態が表示器によって更に防止される。
【００３７】
好ましくは、表示器は温度変化に応じて色を変化させるサーモクロミック物質を含む。表示器は、異なる温度で色を変化させる二つ以上の異なるサーモクロミック物質を含んでいるとよい。例えば、かみそりヘッドの温度が周囲の温度の場合に青色になる第一サーモクロミック物質と、かみそりヘッドの温度が所望の温度範囲内にある場合に緑色になる第二サーモクロミック物質と、かみそりヘッドの温度が所望の温度範囲を上回る場合にオレンジ色になる第三サーモクロミック物質とを表示器が含んでいるとよい。別の例として、相変換物質の溶解点よりも少し上でオレンジ色になる第一サーモクロミック物質と、相変換物質の溶解点よりも少し下で青色になる第二サーモクロミック物質とを表示器が含んでいてもよい。この場合、もし表示器がオレンジ色であれば、相変換物質の温度は一般的にその物質の全てが溶解するまで溶解温度を越えないので、相変換物質の実質的に全てが溶解したことを表示するであろう。
【００３８】
サーモクロミック物質の多くの別の組み合わせを用いてもよい。サーモクロミック物質はまた、所望の色を得るために非サーモクロミック染料及び／又は顔料と組み合わせることもできる。
【００３９】
表示器は、図４に示すように、かみそりカートリッジのハウジング上に取り付けられるか又はハウジング内に形成されるストリップ６０の形状であるとよい。この場合、異なるサーモクロミック物質はストリップに沿って間隔をあけて位置付けられているとよい。変形例としては、表示器は、図４Ａに示すように、例えば「ＨＯＴ」（６２）及び「ＣＯＬＤ」（６４）などの、現れたり消えたりする文字又は他のインディシアの形状でもよい。例えば、サーモクロミック物質を含むインディシアを形成するか、又は、所定の温度で半透明になるサーモクロミックコーティングで覆い隠される非サーモクロミックのインディシアを提供することにより、インディシアを提供してもよい。
【００４０】
別の実施の形態において、サーモクロミック物質は、かみそりヘッド又はカートリッジハウジングのプラスチックと合成されてもよく、又は透明な窓が備えられてそこを通して利用者が相変換物質を見ることができる場合には、相変換物質と混合されていてもよい。また、サーモクロミック物質をハウジング上にコーティングしてもよい。
【００４１】
可読性及び簡素さの見地からみてサーモクロミックの表示器は望ましいものであるが、様々な形状の液体温度計又は複合棒型ダイアル式温度計のような他の表示器を用いてもよい。
【００４２】
他の実施の形態も、特許請求の範囲内のものである。
【００４３】
例えば、かみそりカートリッジは二つ以上の相変換物質を含んでいてもよい。相変換物質は異なる再結晶化又は核形成の温度を持っていてもよい。従って、異なる物質は異なる速度で再結晶化し、このことにより、例えば一つの物質が、もう一つ別の物質の再結晶化が終了して（従ってその潜熱を失った）すぐ後に再結晶化を始める場合、放熱間隔の長さが延長される。
【００４４】
その上、かみそりのハンドルは、ヘッドの相変換物質に加えて、又はヘッドの相変換物質の代わりに、相変換物質を含むことができ、例えば図６に示すように、ハンドル１００は、相変換物質を包含するチャンバ１０２を含む。変形例としては、上述したように、この相変換物質をマイクロカプセル化してもよい。相変換物質をハンドルに提供することにより、ハンドルが暖められることで快適で暖かいグリップが得られ、触感特性が高められる選択肢が利用者に与えられよう。
【００４５】
更に、相変換物質をヘッドの任意の所望の位置に備えてもよい。例えば、相変換物質はシェービング補助複合物２６（図２）に組み入れてもよい。この場合、相変換物質を暖めることにより、複合物からシェービング補助剤を更に容易に放出することができる。
【００４６】
また、ヘッドは、相変換物質を包含する任意の所望の数のチャンバ又はカプセルを含んでいてもよい。
【００４７】
一つ又は複数のカプセルは、一つ又は複数のカプセルの内外のより速い熱伝達を促進するための、例えば銅フォームのようなメタルフォーム又はメタルウールなどの熱伝導性物質を含んでいてもよい。一般的に、一つ又は複数のカプセルは熱伝導性物質の少容積断片を包含する。また、相変換物質から又は相変換物質への熱伝達を増大させるために、フィン又はリブを用いてもよい。スルーホールを十分に小さくすることにより、比較的粘性の高い、溶解された相変換物質が出て行くのを防ぐという条件の下で、一つ又は複数のカプセルは、水が流れるスルーホールを含んでよい。
【００４８】
更に、特定のかみそりの設計を例示として以上に示して説明してきたが、ここに説明した相変換物質はいずれの所望のかみそりの設計に用いてもよい。相変換物質は、男性用および女性用のかみそり両方に用いることができる。
【図面の簡単な説明】
【００４９】
【図１】図１は本発明の一実施の形態に係るかみそりの斜視図である。
【図２】図２は図１に示すかみそりカートリッジの拡大斜視図であり、図２Ａは図２の線Ａ−Ａに沿った、図１に示すかみそりカートリッジの横断面図である。
【図３】図３は本発明の代替の実施の形態に係るかみそりカートリッジの前面平面図である。
【図４】図４は本発明の代替の実施の形態に係るかみそりカートリッジの斜視図であり、図４Ａは本発明の別の代替の実施の形態に係るかみそりカートリッジの斜視図である。
【図５】本発明の代替の実施の形態に係るかみそりカートリッジの横断面図である。
【図６】本発明の代替の実施の形態に係るかみそりの横断面図である。
【図１】
2005509502.tif 000003
【図２】
2005509502.tif 000004
【図２Ａ】
2005509502.tif 000005
【図３】
2005509502.tif 000006
【図４】
2005509502.tif 000007
【図４Ａ】
2005509502.tif 000008
【図５】
2005509502.tif 000009
【図６】
2005509502.tif 000010
【国際調査報告】
2005509502.tif 000011
2005509502.tif 000012